(57)【要約】【課題】プロジェクタの専有面積を小さくすることにある。【解決手段】液晶表示パネルを用いた画像発生装置、該画像発生装置に得られる画像を拡大して結像面に結像させる光学レンズ系及び画像に関係する音声を発生する音声発生装置を筐体に配置した本体と、本体に分離可能に配置されたＴＶチューナであって放送電波を受信して所定の信号を前記本体に出力するＴＶチューナと、本体に分離可能に配置されたＤＶＤ駆動装置であってＤＶＤ内の信号を再生して所定の信号を本体に出力するＤＶＤ駆動装置とを含む。ＴＶチューナ及びＤＶＤ駆動装置は本体に配置されている。【選択図】          図１
2004173066.tif 000002
【特許請求の範囲】
【請求項１】
液晶表示パネルを用いた画像発生装置、該画像発生装置に得られる画像を拡大して結像面に結像させる光学レンズ系及び前記画像に関係する音声を発生する音声発生装置を筐体に配置した本体と、
前記本体に分離可能に配置されたＴＶチューナであって放送電波を受信して所定の信号を前記本体に出力するＴＶチューナと、
前記本体に分離可能に配置されたＤＶＤ駆動装置であってＤＶＤ内の信号を再生して所定の信号を前記本体に出力するＤＶＤ駆動装置とを含み、
前記ＴＶチューナ及び前記ＤＶＤ駆動装置は前記本体に配置されている、画像用プロジェクタ。
【請求項２】
前記筐体は該筐体の少なくとも後方に開放する凹所であって少なくとも上下面及び奥面を有する凹所を備えており、前記ＴＶチューナ及び前記ＤＶＤ駆動装置は前記上面及び奥面から間隔をおいた状態に前記下面に左右方向に間隔をおいて配置されている、請求項１に記載のプロジェクタ。
【請求項３】
前記本体は前記筐体内の空気を前記上面及び左右の側面の少なくとも一方から前記本体の外に排出する排気ファンを備えている、請求項２に記載のプロジェクタ。
【請求項４】
前記凹所は、さらに、前記筐体の左右両側面に開放しており、前記ＴＶチューナ及び前記ＤＶＤ駆動装置は、それらの内部の空気をそれらの側面から前記ＴＶチューナ及び前記ＤＶＤ駆動装置の外へ排出する排気ファンを備えている、請求項３に記載のプロジェクタ。
【請求項５】
前記ＴＶチューナ及び前記ＤＶＤ駆動装置は、それぞれ、前記ＴＶ信号を前記本体に出力する第１及び第２のコネクタを背部に備えており、前記本体は、前記第１及び第２のコネクタに接続される第３及び第４のコネクタを前記凹所の奥面に備えている、請求項２に記載のプロジェクタ。
【請求項６】
前記筐体は、前後方向に伸びるスロットを、前記凹所を形成している下面の左右方向中央部に有している、請求項２に記載のプロジェクタ。
【請求項７】
前記筐体は前記凹所を形成している下面から前記凹所に出入り可能の複数のプランジャーを備えており、前記ＴＶチューナ及び前記ＤＶＤ駆動装置のそれぞれは１以上の前記プランジャーを受け入れる１以上の位置決め穴を備えている、請求項２に記載のプロジェクタ。
【発明の詳細な説明】
【０００１】
【発明の属する技術分野】
本発明は、テレビジョン（本発明においては、「ＴＶ」という。）画像を、白い壁面や膜面等に投影する画像プロジェクタに関する。
【０００２】
本発明においては、プロジェクタから膜面等に指向される光の進行方向を「前後方向」といい、前後方向に直角の水平の方向を左右方向といい、「前後方向」及び左右方向に直角の方向を「上下方向」という。
【０００３】
【従来の技術】
放送電波用、ビデオテープ記録再生装置（ＶＴＲ）、デジタルビデオディスク（本発明においては、「ＤＶＤ」という。）駆動装置等により得たＴＶ画像用のプロジェクタは種々提案されている。
【０００４】
しかし、従来のプロジェクタは、いずれも、放送電波用、ＶＴＲ用、ＤＶＤ用等、ＴＶ信号の発生源の種類に応じた専用となっているため、使用者は、必要な発生源と同数のプロジェクタを購入しなければならない。特に、多くのＤＶＤが市販されている今日においては、利用者は少なくとも放送電波用とＤＶＤ用途の２種類のプロジェクタを用意しなければならない。
【０００５】
また、プロジェクタは、一般に、大量の熱を発生することから、従来では、プロジェクタ本体と、ＴＶチューナ、ＶＴＲ、ＤＶＤ駆動装置等を別個の箇所に配置し、それらをプロジェクタ本体にケーブルで接続する構造を有している。このため、プロジェクタを設置するための専有面積が広くなる。
【０００６】
【解決しようとする課題】
本発明の目的は、プロジェクタの専有面積を小さくすることにある。
【０００７】
【解決手段、作用、効果】
本発明に係るプロジェクタは、液晶表示パネルを用いた画像発生装置、該画像発生装置に得られる画像を拡大して結像面に結像させる光学レンズ系及び前記画像に関係する音声を発生する音声発生装置を筐体に配置した本体と、前記本体に分離可能に配置されたＴＶチューナであって放送電波を受信して所定の信号を前記本体に出力するＴＶチューナと、前記本体に分離可能に配置されたＤＶＤ駆動装置であってＤＶＤ内の信号を再生して所定の信号を前記本体に出力するＤＶＤ駆動装置とを含む。前記ＴＶチューナ及び前記ＤＶＤ駆動装置は前記本体に配置されている。
【０００８】
本発明によれば、ＴＶチューナ及びＤＶＤ駆動装置を本体に配置しているから、ＴＶチューナ及びＤＶＤ駆動装置を本体と別個にした場合に比べ、プロジェクタの専有面積が小さくなる。
【０００９】
前記筐体は該筐体の少なくとも後方に開放する凹所であって少なくとも上下面及び奥面を有する凹所を備えており、前記ＴＶチューナ及び前記ＤＶＤ駆動装置は前記上面及び奥面から間隔をおいた状態に前記下面に左右方向に間隔をおいて配置されていてもよい。そのようにすれば、本体とＴＶチューナ及びＤＶＤ駆動装置との間に空間が形成されるから、空気がそのような空間を通って移動し、それにより本体とＴＶチューナ及びＤＶＤ駆動装置との間の熱の伝達が少なくなる。
【００１０】
前記本体は前記筐体内の空気を前記上面及び左右の側面の少なくとも一方から前記本体の外に排出する排気ファンを備えていてもよい。そのようにすれば、本体で発生した熱が本体とＴＶチューナ及びＤＶＤ駆動装置との間の空間を経ることなく、本体の外に確実に排出される。
【００１１】
前記凹所は、さらに、前記筐体の左右両側面に開放しており、前記ＴＶチューナ及び前記ＤＶＤ駆動装置は、それらの内部の空気をそれらの側面から前記ＴＶチューナ及び前記ＤＶＤ駆動装置の外へ排出する排気ファンを備えていてもよい。そのようにすれば、ＴＶチューナ及びＤＶＤ駆動装置で発生した熱が本体とＴＶチューナ及びＤＶＤ駆動装置との間の空間を経ることなく、ＴＶチューナ及びＤＶＤ駆動装置の外に確実に排出される。
【００１２】
前記ＴＶチューナ及び前記ＤＶＤ駆動装置は、それぞれ、前記ＴＶ信号を前記本体に出力する第１及び第２のコネクタを背部に備えており、前記本体は、前記第１及び第２のコネクタに接続される第３及び第４のコネクタを前記凹所の奥面に備えていてもよい。そのようにすれば、コードを用いることなく、本体と、ＴＶチューナ及びＤＶＤ駆動装置とを電気的に接続することができる。
【００１３】
前記筐体は、前後方向に伸びるスロットを前記凹所に形成している下面の左右方向中央部に有していてもよい。そのようにすれば、空気がスロットから本体とＴＶチューナ及びＤＶＤ駆動装置との間に空間に確実に移動するから、冷却効率が高くなる。
【００１４】
前記筐体は前記凹所を形成している下面から前記凹種に出入り可能の複数のプランジャーを備えており、前記ＴＶチューナ及び前記ＤＶＤ駆動装置のそれぞれは１以上の前記プランジャーを受け入れる１以上の位置決め穴を備えていてもよい。そのようにすれば、本体とＴＶチューナ及びＤＶＤ駆動装置との相対的移動が阻止されて、それらが正しい位置に維持される。
【００１５】
【発明の実施の形態】
図１〜図９を参照するに、画像用プロジェクタ１０は、プロジェクタ本体１２と、本体１２に配置されたＴＶチューナ１４と、本体１２に配置されたＤＶＤ駆動装置１６とを含む。
【００１６】
本体１２は、強い白色光を発生する光源部２０と、光源部２０からの白色光を受ける光学ユニット部２２と、各種の機器で用いる電力を発生する電源部２４と、各種の機器を制御すると共に駆動させる制御駆動部２６とを筐体２８内に収容している。
【００１７】
本体１２は、また、光学ユニット部２２により得られた画像を拡大して結像面に結像させる投射レンズ部３０と、画像に関係する音声を発生する一対のスピーカ３２とを筐体２８の前面に、投射レンズ部３０が両スピーカ３２の間に位置する状態に、左右方向に間隔をおいて組み付けている。
【００１８】
本体１２は、さらに、筐体２８内の空気を筐体２８の外に排出する排気ファン３４を筐体２８の上面内側に組み付けていると共に、接続基板部３６を筐体２８の内側に組み付けている。
【００１９】
光源部２０は、電源部２４から電力を受け、発生した強い白色光を光学ユニット部２２に指向させる。光学ユニット部２２は、制御駆動部２６により駆動される液晶表示パネルを備えており、また光源部２０からの光を受けて、表示すべき画像を発生する。このため、光源部２０と光学ユニット部２２とは、画像発生装置として作用する。投射レンズ部３０は、光学ユニット部２２により再生された画像を、白い壁面や膜面等の結像面に投影し、結像面に結像させる。
【００２０】
制御駆動部２６は、ＴＶチューナ１４及びＤＶＤ駆動装置１６から供給される信号を基に、光学ユニット部２２内の液晶表示パネルを駆動すると共に、本体１２に含まれている各種の機器の制御及び駆動を行う。
【００２１】
筐体２８は、後方及び左右両側方に開放する凹所３８を後部の下側に有している。筐体２８は、上下面及び奥面により形成される凹所３８により、コ字状の側面形状を有している。ＴＶチューナ１４及びＤＶＤ駆動装置１６は、凹所３８内に、凹所３８の上面及び奥面から間隔をおいた状態に、左右方向に間隔をおいて配置されている。
【００２２】
筐体２８は、また、複数の吸気穴４０を、左右の両側面と、前面の下部と、凹所３８の上面と、下面とに有している。排気ファン３４は、これが駆動されると、外部の空気を吸気穴４０から筐体２８に吸引しつつ、筐体２８内の空気を外部に排出する。このため、筐体２８内に配置された各種の機器が冷却される。
【００２３】
筐体２８は、さらに、前後方向に伸びるスロット４２を凹所３８の下面の左右方向中央部に有していると共に、操作パネル部４４を後面の上部に有している。操作パネル部４４は、用いるべきＴＶチューナ１４又はＤＶＤ駆動装置１６の選択、光量の調整等のために、制御駆動部２６に接続されている。
【００２４】
筐体２８には、コ字状の取手４６が左右方向へ伸びる軸線の周りに回転可能に組み付けられている。取手４６は、ＴＶチューナ１４のためのアンテナの機能をも有しており、接続基板部３６を介してＴＶチューナ１４に接続される。
【００２５】
筐体２８には、また、図７及び図８に示すように、複数のプランジャー４８が凹所３８の下面から凹所３８に出入り可能に組み付けられている。各プランジャー４８は、凹所３８に常時突出する状態にばねにより付勢されており、またばね力に抗して押し下げることにより筐体内に後退される。
【００２６】
ＴＶチューナ１４及びＤＶＤ駆動装置１６は、凹所３８に左右方向に間隔をおいて配置されており、また、それぞれ、プランジャー４８を受け入れる複数の位置決め穴５０及び５２（図９参照）を備えており、プランジャー４８を各位置決め穴５０及び５２に受け入れることにより、本体１２に対して相対的移動が阻止されて、正しい位置に維持される。
【００２７】
ＴＶチューナ１４は、ＴＶ受信機で再生可能の放送電波を受信して、受信した放送電波に対応するＴＶ信号を本体１２に出力する。このため、ＴＶチューナ１４は、受信すべきチャンネルを選択する選択つまみ又はスイッチを備えている。
【００２８】
これに対し、ＤＶＤ駆動装置１６は、受けたＤＶＤに記録されているディジタルビデオ信号を本体１２に出力する。このため、ＤＶＤ駆動装置１６は、ＤＶＤを受けるＤＶＤ受け部を備えている。ＤＶＤ駆動装置１６は、記録及び再生可能の装置であってもよい。
【００２９】
ＴＶチューナ１４及びＤＶＤ駆動装置１６は、それぞれ、複数の吸気穴５４及び５６（５６は図示せず）を対向面に有していると共に、排気ファン５８及び６０を非対向面に有している。
【００３０】
ＴＶチューナ１４及びＤＶＤ駆動装置１６は、それぞれ、ＴＶ信号を本体に出力する第１及び第２のコネクタ６２及び６４を背面に備えており、本体１２は、コネクタ６２及び６４にそれぞれ接続されるコネクタ６６及び６８を凹所３８の奥面に備えている。このため、コードを用いることなく、本体１２と、ＴＶチューナ１４及びＤＶＤ駆動装置１６とを電気的に接続することができる。
【００３１】
プロジェクタ１０は、筐体２８の下面の各隅角部に備えられた脚７０により適宜な台に載置され、その状態で電源スイッチ７２（図６参照）により電源が投入されることにより作動を開始する。
【００３２】
ＴＶチューナ１４が選択されると、本体１２は、ＴＶチューナ１４から供給されるＴＶ信号を基に、光学ユニット部２２及びスピーカ３２を駆動させて、ＴＶ信号に対応する画像を液晶表示パネルに再生すると共に、音声を再生する。
【００３３】
ＤＶＤ駆動装置１６が選択されると、本体１２は、ＤＶＤ駆動装置１６から供給されるビデオ信号を基に、光学ユニット部２２及びスピーカ３２を駆動させて、ビデオ信号に対応する画像を液晶表示パネルに再生すると共に、音声を再生する。
【００３４】
いずれの場合も、再生された画像は、投射レンズ部３０により、結像面に指向されて、結像面に拡大されて結像される。
【００３５】
プロジェクタ１０が動作している間、排気ファン３４、５８及び６０が作動される。このため、外部の空気が吸気穴４０、５４及び５６から本体１２、ＴＶチューナ１４及びＤＶＤ駆動装置１６内に吸引されつつ、本体１２、ＴＶチューナ１４及びＤＶＤ駆動装置１６内の空気が外部に排出される。このため、本体１２、ＴＶチューナ１４及びＤＶＤ駆動装置１６内の機器が冷却される。
【００３６】
プロジェクタ１０においては、ファン３４が空気を上方に排出し、ファン５８、６０が空気をＴＶチューナ１４とＤＶＤ駆動装置１６との非対向面から外部に排出するから、ファン３４、ファン５８、６０により排出される空気が他の本体１２、ＴＶチューナ１４及びＤＶＤ駆動装置１６を加熱するおそれがない。
【００３７】
また、本体１２と、ＴＶチューナ１４及びＤＶＤ駆動装置１６との間に空気通路７４、７６が形成されているから、外部の空気が空気通路７４、７６を経て本体１２、ＴＶチューナ１４及びＤＶＤ駆動装置１６内に確実に吸引され、移動する。
【００３８】
さらに、吸気穴５４，５６がＴＶチューナ１４及びＤＶＤ駆動装置１６の間の空気通路７６に面する対向面に形成されており、空気通路７６に連通するスロット４２が筐体２８に形成されているから、プロジェクタ１０の下方の比較的冷たい空気がスロット４２を介して空気通路７６に移動して、ＴＶチューナ１４及びＤＶＤ駆動装置１６内に吸引される。これにより、ＴＶチューナ１４及びＤＶＤ駆動装置１６がより効果的に冷却される。
【００３９】
本体１２、ＴＶチューナ１４又はＤＶＤ駆動装置１６が故障したときは、故障した本体１２、ＴＶチューナ１４又はＤＶＤ駆動装置１６を交換すればよい。本体１２は、ビデオテープ記録再生装置のような外部機器に接続する１以上のコネクタ７８を筐体２８に備えていてもよい。
【００４０】
本発明は、上記実施例に限定されず、その趣旨を逸脱しない限り、種々変更することができる。
【図面の簡単な説明】
【図１】本発明に係る画像プロジェクタの一実施例を背面側から示す斜視図である。
【図２】図１のプロジェクタを正面側から示す斜視図である。
【図３】図１のプロジェクタの平面図である。
【図４】図１のプロジェクタの背面図である。
【図５】図１のプロジェクタの左側面図である。
【図６】図１のプロジェクタの左方から見た説明図である。
【図７】図１のプロジェクタで用いる本体を背後から見た斜視図である。
【図８】図７の本体の背面図である。
【図９】（Ａ）は図１のプロジェクタで用いるＴＶチューナの一実施例を示す斜視図であり、（Ｂ）は図１のプロジェクタで用いるＤＶＤ駆動装置の一実施例を示す斜視図である。
【符号の説明】
１０  画像用プロジェクタ
１２  本体
１４  ＴＶチューナ
１６  ＤＶＤ駆動装置
２０  光源部
２２  液晶表示パネルを備えた光学ユニット部
２４  電源部
２６  制御駆動部
２８  筐体
３０  投影レンズ部
３２  スピーカ
３４、５８、６０  排気ファン
３６  接続基板部
３８  凹所
４０、５４、５６  吸気穴
４２  スロット
４４  操作パネル部
４６  取手
４８  プランジャー
５０、５２  位置決め穴
６２、６４、６６、６８、７８  コネクタ
７０  脚
７２  電源スイッチ
７４、７６  空気通路
【図１】
2004173066.tif 000003
【図２】
2004173066.tif 000004
【図３】
2004173066.tif 000005
【図４】
2004173066.tif 000006
【図５】
2004173066.tif 000007
【図６】
2004173066.tif 000008
【図７】
2004173066.tif 000009
【図８】
2004173066.tif 000010
【図９】
2004173066.tif 000011